(57)【要約】      （修正有）【課題】熱調理する時、放出したスチームでやけどをすることなく、またジュースカップに食材を加え易くしたジューサーのジュースカップの蓋構造を提供する。【解決手段】大蓋１０上端面１１の中心の一側には一つの開け口が設置され、前記開け口の周縁１４は大蓋１０内の方へへこんで、一つの環形筒壁１３に形成し、前記環形筒壁１３の底縁は筒壁１３内の方へ延伸し、第一バッフル１５に形成する。また、前記第一バッフル１５にはスチーム出口１７が設置され、前記筒壁１３内には大蓋１０の上端面１１と、ジュースコップのカップ体の内部とを貫通した細長い突起を設置する。隣接した細長い突起の間は細長い凹みに形成し、前記細長い凹みはスチーム出口１７によって、ジュースコップのコップ体の内部とつながる。前記筒壁１３内には隙間を開けて、一つの小蓋２０と接続し、そして、小蓋２０を取り外し、ジュースコップ内に調味料と、食材とを増減する。【選択図】図１
0003174695.tif 000002
【実用新案登録請求の範囲】
【請求項１】
ジュースカップと接続した一つの大蓋があり、前記大蓋の上面には一つの開け口が設置され、前記開け口の周縁は大蓋内の方へ凹んで、一つの筒壁に形成し、前記筒壁はトップも、底もないコップ構造で、前記筒壁の底縁は筒壁内の方へ延伸し、一つの第一バッフルに形成し、前記第一バッフルには少なくとも一つのスチーク出口が設置され、前記筒壁内には大蓋の上面と、ジュースカップの内部とを貫通した細長い突起が設置され、隣接した細長い突起の間は細長いへこみに形成し、前記細長いへこみは前記スチーム出口によって、ジュースカップの内部とつながり、前記筒壁内は隙間を開けて一つの小蓋と接続し、前記小蓋側壁の上端にはハンドルが設置されるジューサーのジュースカップの蓋構造。
【請求項２】
前記大蓋の開け口は大蓋の上端面中心の一側に設置され、前記開け口の周縁は前記大蓋上端面の周縁に近づくことを特徴とする請求項１に記載のジューサーのジュースカップの蓋構造。
【請求項３】
前記小蓋は一つのコップ構造で、その底面と、側壁とが閉じ、その上端が開き、前記小蓋の底面は筒壁底縁の第一バッフルと接続することを特徴とする請求項１に記載のジューサーのジュースカップの蓋構造。
【請求項４】
前記小蓋側壁の上周縁は外へ延伸し、一つの第二バッフルに形成し、前記第二バッフルの立位は前記大蓋の開け口の周縁より高く、前記第二バッフルと、前記大蓋の開け口の周縁との間と、前記細長いへこみと、前記スチーム出口とが合わせて、一つのスチーム通路に形成することを特徴とする請求項１あるいは請求項３のいずれか一項に記載のジューサーのジュースカップの蓋構造。
【請求項５】
前記筒壁は一つの環形筒壁で、それに応じて、前記小蓋は一つの環形コップ構造で、前記小蓋の外壁は前記筒壁の細長い突起に接近することを特徴とする請求項１に記載のジューサーのジュースカップの蓋構造。
【請求項６】
前記ハンドルは前記小蓋側壁の上端から外へ伸ばして形成されており、そして、水平方向では、前記ハンドルの末端は前記小蓋側壁の上端より高いことを特徴とする請求項１に記載のジューサーのジュースカップの蓋構造。
【請求項７】
大蓋の開け口周縁の外側にはハンドルの収容溝が一体成型し、小蓋ハンドルの内端部は溝内に設置されることを特徴とする請求項１あるいは請求項６のいずれか一項に記載のジューサーのジュースカップの蓋構造。
【請求項８】
前記ハンドルの長さは前記小蓋の内径の１／２より大きいことを特徴とする請求項６に記載のジューサーのジュースカップの蓋構造。
【考案の詳細な説明】
【技術分野】
【０００１】
本考案はジュースコップに関し、特に倒れたジューサーのジュースカップの蓋構造に関する。
【背景技術】
【０００２】
従来のジューサーには、ジュースカップの蓋に直接にスチーム口を設置し、熱調理すると、スチームが前記スチーム口から放出し、ジュースカップに食材を加えるとき、蓋を取り外す、または蓋内に一つの中心蓋が設置され、前記中心蓋の中心には圧力除去口が設置され、スチームが前記圧力除去口から放出し、ジュースカップに食材を加える時、蓋あるいは中心蓋を取り外す。
【０００３】
前記第一種のジューサーで熱調理する時、放出したスチームが使用者にやけどさせやすく、その上、ジュースカップに食材を加えるのはとても不便で、使用者にもやけどさせやすい。同じように、第二種のジューサーも使用者にやけどさせやすく、その上、カップ内の圧力が大きすぎ、中心蓋全体を上昇させ、使用者にやけどさせるだけでなく、食材のオーバフローの恐れもあるので、前記ジューサーに食材をカップに加えるのも不便である。
【０００４】
中国実用新案の２００６２０１２９４４８．４では一つのジューサーの中心蓋を公開し、前記カップの上方には一つの中心蓋を設置し、前記中心蓋には第一バッフルと、第二バッフルとが設置され、前記第一バッフルは中心蓋の中心に設置され、第二バッフルは左右対称で、しかも、第一バッフルの上方に設置される。第一バッフルと、第二バッフルとの接線は同一の直線で、そして、第二バッフルの下方に一つの圧力除去通路を形成させ、ジューサーを使って濃いスープをかき回すとき、スチームが圧力除去通路から放出し、その上、第一バッフルと、第二バッフルとによって、濃いスープが外へ噴出することを防止でき、そこで、ジューサーの使用安全性と、利便性とを改善する。前記実用新案では、ジュースカップ内のスチームが消費者にやけどさせにくいが、カップ内に食材を加えるのはまだまだ不便である。
【先行技術文献】
【特許文献】
【０００５】
【特許文献１】中国実用新案の２００６２０１２９４４８．４
【考案の概要】
【考案が解決しようとする課題】
【０００６】
本考案の目的として、従来技術に存在したジューサーの不安全性と、不便性とを克服した安全に、便利に使えるジューサーのジュースカップの蓋構造を提供する。
【課題を解決するための手段】
【０００７】
本考案は以下の技術手段を採用し、ジューサーのジュースカップの蓋構造には、ジュースカップと接続した一つの大蓋があり、前記大蓋の上面には一つの開け口が設置され、前記開け口の周縁は大蓋内の方へ凹んで、一つの筒壁に形成し、前記筒壁はトップも、底もないコップ構造で、前記筒壁の底縁は筒壁内の方へ延伸し、一つの第一バッフルに形成し、前記第一バッフルにはスチーク出口が設置され、前記筒壁内には大蓋の上面と、ジュースカップの内部とを貫通した細長い突起が設置され、隣接した細長い突起の間は細長いへこみに形成し、前記細長いへこみは前記スチーム出口によって、ジュースカップの内部とつながり、前記筒壁内は隙間を開けて一つの小蓋と接続し、前記小蓋は一つのコップ構造で、その底面と、側壁とが閉じ、その上端が開き、前記小蓋の底面は筒壁底縁の第一バッフルと接続する。
【０００８】
もっとも好ましい実施例には、前記小蓋側壁の上端にはハンドルが設置される。
【０００９】
もっとも好ましい実施例には、前記小蓋側壁の上周縁は外へ延伸し、一つの第二バッフルに形成し、前記第二バッフルの立位は前記大蓋の開け口の周縁より高く、前記第二バッフルと、前記大蓋の開け口の周縁との間と、前記細長いへこみと、前記スチーム出口とが合わせて、一つのスチーム通路に形成する。
【００１０】
もっとも好ましい実施例には、前記筒壁は一つの環形筒壁で、それに応じて、前記小蓋は一つの環形コップ構造で、前記小蓋の外壁は前記筒壁の細長い突起に接近する。
【００１１】
もっとも好ましい実施例には、前記大蓋の開け口は大蓋の上端面中心の一側に設置され、前記開け口の周縁は前記大蓋上端面の周縁に近づく。
【００１２】
もっとも好ましい実施例には、前記ハンドルは前記小蓋側壁の上端から外へ伸ばして形成されており、そして、水平方向では、前記ハンドルの末端は前記小蓋側壁の上端より高い。
【００１３】
もっとも好ましい実施例には、前記ハンドルの長さは前記小蓋の内径の１／２より大きい。
【００１４】
以上に述べたように、従来技術と比べると、本考案のジューサーのジュースカップの蓋構造には以下の特徴がある。
【００１５】
１、ジュースカップの大蓋にはハンドルの設置された小蓋が設置され、消費者はいつでも小蓋を取り外し、調味料と、食材とをジュースカップに増減することができ、使用するのはとても便利である。
【００１６】
２、第二バッフルと、大蓋の開け口の周縁との間と、細長いへこみと、スチーム出口と合わせて、一つのスチーム通路に形成するので、本考案の蓋構造はスチームが放出できるという機能を持つようになり、そして、スチームが第二バッフルの下から水平放出し、そして、消費者にやけどさせずに、安全に使用できる。
【００１７】
３、本考案のスチーム通路の巧妙なデザインによって、調理する時、食材はジューサー外にオーバフローしない、デザインは巧妙で、安全に使用できる。
【００１８】
４、大蓋の筒壁と、小蓋とはみんな環形構造で、その円弧の流線型デザインによって、死角がなく、汚れを隠す場所がなく、洗浄しやすく、デザインはとても便利である。
【００１９】
５、小蓋と、大蓋の筒壁とは隙間が開けて接続し、両方の配合度がよく、小蓋の取り扱いが便利である。
【００２０】
６、大蓋上端面の開け口の周縁は大蓋上端面の周縁に近づき、使用者は小蓋を便利に操作でき、コップ内に調味料と、食材とを増減することができる。
【００２１】
７、水平方向では、ハンドルの末端は小蓋側壁の上端より高く、それに、ハンドルの長さは小蓋内径の１／２より長いので、使用者がハンドルをつかんで、小蓋を便利に取り扱う。
【図面の簡単な説明】
【００２２】
【図１】本考案のジューサーのジュースカップの蓋構造の断面図をしめす。
【図２】本考案のジューサーのジュースカップの蓋構造の立体説明図をしめす。
【考案を実施するための形態】
【００２３】
以下は図１と、図２とに示すように、好ましい実施形態をまとめって、本考案の内容をいっそう詳しく説明する。
【００２４】
本考案のジューサーのジュースカップの蓋構造には、ジュースカップのカップ体と接続した大蓋１０があり、前記大蓋１０上端面１１の中心の一側には一つの環形開け口が設置され、前記環形開け口の周縁１４は前記大蓋上端面の周縁に近づく。前記環形開け口の周縁１４は大蓋１０内の方へへこんで、一つの環形筒壁１３に形成し、前記環形筒壁１３はトップも、底もないコップ構造で、前記環形筒壁１３の底縁は筒壁内の方へ延伸し、第一バッフル１５に形成し、前記第一バッフル１５にはスチーム出口１７が設置され、前記筒壁１３内には大蓋１０の上端面１１と、ジュースコップのカップ体の内部とを貫通した細長い突起１９が設置され、隣接した細長い突起１９の間は細長い凹み１８に形成し、前記細長い凹み１８はスチーム出口１７によって、ジュースコップのコップ体の内部とつながる。前記筒壁１３内には隙間を開けて、一つの小蓋２０と接続し、前記小蓋２０は一つの環形コップ状構造で、その底面２１と、側壁２２とが閉じ、その上端は開き、前記小蓋２０の底面２１は筒壁１３底縁の第一バッフル１５と接続する。
【００２５】
小蓋２０の側壁２２の上縁は外へ延伸し、一つの第二バッフル２５に形成し、前記第二バッフル２５の立位は大蓋１０の開け口の周縁１４より高く、前記第二バッフル２５と、大蓋の開け口の周縁１４との間と、細長い凹み１８と、スチーム出口１７とが合わせて、一つのスチーム通路に形成する。
【００２６】
小蓋２０の側壁２２の上縁は外へ延伸し、一つのハンドル２３に形成し、前記ハンドル２３の末端は水平方向では、小蓋２０の側壁２２の上縁より高く、その上、ハンドル２３の長さは小蓋２０内径の１／２より長い。それに応じて、大蓋１０の開け口周縁１４の外側には収容溝１２が一体成型し、小蓋ハンドル２３の内端部は溝内に設置される。
【００２７】
本考案のジューサーのジュースカップの蓋構造を使うと、大蓋１０は雄ネジ１６によって、ジュースカップのカップ体と接続し、ジュースカップと接続してから、冷調理、または熱調理をする時、いずれにしても大蓋１０を取り外す必要がなく、小蓋２０の底面２１と、側壁２２と、第二バッフル２５と、大蓋１０の第一バッフル１５とがまとめて、食材のオーバフローを阻止できる。第二バッフル２５と、大蓋の開け口の周縁１４との間と、細長いへこみ１８と、スチーム出口１７とが合わせて形成したスチーム通路によって、熱調理する時、スチームを放出できる。小蓋２０上端のハンドル２３によって、使用者は筒壁１３から小蓋２０を自由に取り扱うことができ、とても便利である。同時に、大蓋１０の収容溝１２はハンドル２３の位置を制限する。
【００２８】
本考案のもう一つの実施例では、小蓋２０の壁体には細長い溝が設置され、大蓋１０の筒壁１３の底部にはスチーム出口１７が設置され、細長い溝は前記スチーム出口によって、ジュースコップのコップ体の内部とつながり、スチーム出口１７と、細長い溝とはスチーム通路に形成する。
【００２９】
以上のように、本考案でただ好ましい実施例を開示したが，本考案のデザインアイディアはこれに限定されるものではなく、当業者が、本考案のアイディアと範囲に基づいて色々変形させることは可能であり、それらは本考案の請求項の保護範囲から排除するものではない。
【産業上の利用可能性】
【００３０】
本考案のジューサーのジュースカップの蓋構造では、ジュースコップの大蓋には小蓋が設置され、消費者はいつでも小蓋の取り外すことができ、ジュースコップ内に調味料と、食材とを増減することができ、使用するのはとても便利で、同時に、減圧と、排気と、オーバフロー防止との役割を果たす。デザインは巧妙で、構造は合理的で、優れた工業実用性がある。
【図１】
0003174695.tif 000003
【図２】
0003174695.tif 000004